(57)【特許請求の範囲】
【請求項１】
足を挿入する履き口部から略踝部までを構成する環状のボディ部と、前記ボディ部と一体に編成され、前記略踝部の端部から爪先部までを構成するフット部を有し、他の部分より伸縮性が小さい低伸縮部が設けられた靴下であって、
第５趾の付け根付近から外側面を介し外側踝部付近まで伸びる長さで、甲側の第４趾の第１趾側付近から足底側の第５趾の第１趾側付近に至る幅を有し、他の部分より伸縮性が小さい外側低伸縮部と、
甲側の前記外側低伸縮部の第４趾の付け根と足首の間から略内側踝部側に向かう方向に形成され、他の部分より伸縮性が小さい上部テーピング低伸縮部と、
足首上部の円周方向に形成され、他の部分より伸縮性が小さい足首上部低伸縮部と、を有し、
前記フット部の爪先部から前記ボディ部の履き口部に至る形状は、内側と比較して外側が短く、略くの字形状となるように形成されていることを特徴とする靴下。
【請求項２】
足裏側の前記外側低伸縮部の第５趾の付け根と踵部の間の踵部側付近から略内側踝部側に向かう方向に形成され、他の部分より伸縮性が小さい下部テーピング低伸縮部と、をさらに有することを特徴とする請求項１記載の靴下。
【請求項３】
前記足首上部低伸縮部は足首上部の略全周に渡って形成され、周方向の一部を該足首上部低伸縮部より伸縮性を大きく形成されていることを特徴とする請求項１または請求項２のいずれか１項記載の靴下。
【発明の詳細な説明】
【技術分野】
【０００１】
本発明は、足首を外反させることにより、足の負担を十分軽減できるとともに、運動能力を向上させる靴下に関する。
【背景技術】
【０００２】
従来から足首を外反させる靴下が知られていた。この種の靴下として、足背部に他の領域よりも伸縮性が低い帯状の第１低伸縮領域１０１が設けられ、この第１低伸縮領域１０１は、少なくとも足首屈曲部１０１ｄを含み、その足首屈曲部１０１ｄよりも下端側は、コース方向の幅に対する中心線が徐々に第５趾側へシフトしながら足趾の付け根部まで延設され、下端部１０１ｂが、第３趾の付け根部から第５趾の付け根部の範囲に位置している（図３参照）。また、第１低伸縮領域の下端付近の第５趾側の側部１０１ｃが、第５中足骨を巻き込むように、足裏側に延設されている。そして、第３趾の付け根部から第５趾の付け根部の範囲に位置している下端部１０１ｂを、第１低伸縮領域１０１の方向に沿って、足首屈曲部１０１ｄの方向へ引っ張る方向に力（Ｐ）を働かせることができ、第１低伸縮領域１０１の下端付近の第５趾側寄りの側部１０１ｃを第５中足骨に引っ掛け、足の第５趾側全体を引き上げる力を得ることができる（図４参照）。これにより、第１低伸縮領域１０１が、足首が内反する方向の捻りに対して抗力が働くように、足の第５趾側から足首屈曲部の方向に向けて適度に持ち上げる力を付与するので、内反捻挫を効果的に予防することができるというものであった（たとえば、特許文献１）。
【先行技術文献】
【特許文献】
【０００３】
【特許文献１】特開２００９−２７５３００号公報
【発明の概要】
【発明が解決しようとする課題】
【０００４】
しかしながら、従来の靴下は、足の第５趾側全体を引き上げる力を付与することにより、内反捻挫を効果的に予防するものであるが、この従来の靴下では、足の第５趾側から足首屈曲部の方向に向けて持ち上げるものであるので、足全体を十分外反方向へ回転させることができず、歩行時には、かかとが着地した後に足底の外側→内側の順で着地し、足の内外側を略同時に地面に着地させることができなかった。このように、歩行時に、足底の内外側を略同時に地面に着地させることができないことから、足の負担を十分軽減できないという問題があった。
【０００５】
また、走行時においては、足底の爪先部付近から地面に着地することになるが、従来の靴下では、走行時においても足底の爪先部付近の内外側が略同時に地面に着地させることができなかった。このように、走行時に、特に短距離走行時において、足底の爪先部付近の内外側が略同時に地面に着地させることができないことから、足底の爪先部付近の内外部が地面に着地する時間差分の時間を要し、その分短時間で走行することができないという問題があった。さらに、特に短距離走行時において、足の外側から着地し、その後足の内側が着地することになると、走行時に走行方向が足の外側方向に向くので、無意識に直進方向から少し曲がって走行することになり、その分短時間で走行することができないという問題もあった。
【０００６】
本発明は、足の負担を十分軽減できるとともに、運動能力を向上させる靴下を提供することを目的とする。
【課題を解決するための手段】
【０００７】
本発明の第１の態様は、足を挿入する履き口部から略踝部までを構成する環状のボディ部と、前記ボディ部と一体に編成され、略踝部の端部から爪先部までを構成するフット部を有し、他の部分より伸縮性が小さい低伸縮部が設けられた靴下であって、第５趾の付け根付近から外側面を介し外側踝部付近まで伸びる長さで、甲側の第４趾の第１趾側付近から足底側の第５趾の第１趾側付近に至る幅を有し、他の部分より伸縮性が小さい外側低伸縮部と、甲側の外側低伸縮部の第４趾の第１趾側付近と足首の間から略内側踝部側に向かう方向に形成され、他の部分より伸縮性が小さい上部テーピング低伸縮部と、足首上部の円周方向に形成され、他の部分より伸縮性が小さい足首上部低伸縮部と、を有し、フット部の爪先部からボディ部の履き口部に至る形状は、内側と比較して外側が短く、略くの字形状となるように形成されていることを特徴とするものである。
【０００８】
本発明によれば、フット部の爪先部からボディ部の履き口部に至る形状を略くの字形状とし、外側低伸縮部の甲側が足底側より横幅が大きい第４趾の第１趾側付近までの幅を有しているので、第５趾の付け根付近から外側踝部付近に至る足のフット部外側全体が締付けられながら外反させる方向の力を受ける。そして、この状態で、上部テーピング低伸縮部により甲側の外側低伸縮部の第４趾の第１趾側付近と足首の間から略内側踝部方向に足のフット部外側全体が引っ張られる。このように、足のフット部外側全体が締付けられながら外反させる方向の力を受けた状態で、その足のフット部外側全体を略内側踝部方向に引っ張られることにより、この靴下を装着して歩行する際には足底全体が地面に対し略平行になり、足の着地時において、足底の内外側を地面に略同時に着地させることができる。これにより、足の負担を十分軽減できるとともに、真っ直ぐな走行および効率の良い力の伝達ができ運動能力を向上させることができる。
【０００９】
本発明の第２の態様は、本発明の第１の態様の靴下であって、足裏側の外側低伸縮部の第５趾の付け根と踵部の間の踵部側付近から略内側踝部側に向かう方向に形成され、他の部分より伸縮性が小さい下部テーピング低伸縮部と、をさらに有することを特徴とするものである。
【００１０】
本発明によれば、下部テーピング低伸縮部が足裏側の外側低伸縮部の第５趾の付け根と踵部の間の踵部側付近から略内側踝部側に向かう方向に形成されているので、上部テーピング低伸縮部と相俟って、その足のフット部外側全体を略内側踝部方向に強く引っ張ることができる。これにより、この靴下を装着して歩行する際には足底全体が地面に対し安定して略平行になり、足の着地時において、足底の内外側を地面に略同時により安定して着地させることができる。
【００１１】
本発明の第３の態様は、本発明の第１または第２の態様の靴下であって、足首上部低伸縮部は足首上部の略全周に渡って形成され、周方向の一部を該足首上部低伸縮部より伸縮性を大きく形成されていることを特徴とするものである。
【００１２】
本発明によれば、足首上部低伸縮部が足首上部の略全周に渡って形成されているので、足首の位置でしっかり固定することができ、靴下がずれることを抑制することができる。これにより、靴下を装着した状態で足底全体が地面に対し略平行にするという効果を安定して得ることができる。また、周方向の一部を足首上部低伸縮部より伸縮性を大きく形成されているので、足首上部が周方向に広がり易くなり、靴下の着脱を容易にすることができるとともに、着用時の圧迫感を回避でき血行が悪くなることも防止できる。
【発明の効果】
【００１３】
本発明による靴下によれば、足のフット部外側全体が外反させる方向の力を受けた状態で、その足のフット部外側全体を略内側踝部方向に引っ張られることにより、この靴下を装着して歩行する際には足底全体が地面に対し略平行になり、足の着地時において、足底の内外側を地面に略同時に着地させることができる。これにより、足の負担を十分軽減できるとともに、真っ直ぐな走行および効率の良い力の伝達ができ運動能力を向上させることができる。
【図面の簡単な説明】
【００１４】
【図１】本発明の一実施形態における靴下の正面斜視図である。
【図２】（ａ）同靴下の正面図である。            （ｂ）同靴下の背面図である。
【図３】従来の靴下の足背部側を示す図である。
【図４】同靴下の斜視図である。
【発明を実施するための形態】
【００１５】
以下、本発明の靴下の第１実施形態について図面を参照にしながら説明する。ここで、図１は本発明の一実施形態における靴下の正面斜視図であり、図２（ａ）は同靴下の正面図であり、図２（ｂ）は同靴下の背面図である。
【００１６】
図１に示すように、靴下１は、右靴下１Ｒと左靴下１Ｌとが左右対称形状で、足を挿入する履き口部２から略踝部３までを構成する環状のボディ部４と、ボディ部４と一体に編成され、略踝部３の端部から爪先部５までを構成するフット部６とから編成され、他の部分より伸縮性が小さい低伸縮部が設けられている。ここで、踝部３とは踝の部分のことであり、踝の少し上部、少し下部も含む概念である。なお、本実施形態では、ショートソックスの靴下１を用いて説明するが、これに限らず、ボディ部４とフット部６を有する靴下であれば、ハイソックスなどの他の形態のソックスであってもよい。以下、本実施形態における他の部分より伸縮性が小さい低伸縮部について、具体的に説明する。
【００１７】
靴下１には、他の部分より伸縮性が小さい低伸縮部として、外側低伸縮部７と、上部テーピング低伸縮部８と、下部テーピング低伸縮部９、足首上部低伸縮部１０などが設けられている（図１、図２参照）。
【００１８】
外側低伸縮部７は、第５趾の付け根付近から外側面を介し外側踝部３ａ付近まで伸びる長さで、甲側の第４趾の第１趾側付近から足底側の第５趾の第１趾側付近に至る幅で設けられている。この外側低伸縮部７は、靴下１の編み立て時に、横方向のコース糸を、複数本をまとめて一緒に編み目を作るタック編みを使用するとともに、伸縮性の高い素材として裏糸にＦＴＹを使用し、さらに、ゴム糸を編み込むことにより伸縮性を小さくしている。このように、伸縮性の高い素材を用いるとともに、タック編みにより長手方向の編み目の数を減らし長手方向に詰め編み目の数が減らすことにより、他の部分より伸縮性が小さく編成されている。ここで、タック編みとは、生地を編成する際に、ある編み目を作らないで、次のコースを編むときに一緒に編み目を作るもので、編針から編み目を脱出させないので、編針のフック又は針幹の前の編み目とともに保持し、例えば次の給糸により編み目を形成する時に同時に複数の編み目をくぐって編み糸を引き出して新しい編み目を作る編み方である。なお、本実施形態では、外側低伸縮部７をタック編みで編成するとともに、ＦＴＹ、ゴム糸を編み込むことにより伸縮性を小さくしたが、これに限らず、ＦＴＹ、ゴム糸を編み込まなくてもよい。
【００１９】
外側低伸縮部７では、次の給糸により編み目を形成する時に同時に４つの編み目をくぐって編み糸を引き出して新しい編み目を作っている。このように、外側低伸縮部７では、タック編みによって編み目の数が減らされているので、編み目の空間が縮小されると共に、伸びることができる編み目の数が減るので伸びに対する抵抗を発揮し、他の部分より伸縮性が小さく編成される。ここで、「他の部分より伸縮性が小さい」とは、「所定の伸縮性を有する部分より伸縮性が小さい」の意味で、本実施形態では、タック編みなどの伸縮性処理が行われていても、次の給糸により編み目を形成する時に同時に２つの編み目をくぐって編み糸を引き出して新しい編み目を編成するような伸縮性が少し大きい部分より伸縮性を小さくしている。
【００２０】
このように、靴下１の第５趾の付け根付近から外側面を介し外側踝部３ａ付近まで伸びる長さで、甲側の第４趾の第１趾側付近から足底側の第５趾の第１趾側付近に至る幅を有する外側低伸縮部７を、他の部分より伸縮性が小さく編成しているので、靴下１の外側部が長手方向に縮小し、靴下１のフット部６の爪先部５からボディ部４の履き口部２に至る形状が内側と比較して外側が短くなり、略くの字形状で形成される。ここで、略くの字形状とは、逆略くの字形状を含む概念である。なお、本実施形態では、略くの字形状として説明したが、これに限らず、略くの字形状とよく似た形状である略バナナ形状であってもよく、また、略ノの字形状であってもよい。そして、フット部６の爪先部５からボディ部４の履き口部２に至る形状が略くの字形状で、外側低伸縮部７の甲側が足底側より横幅が大きい第４趾の第１趾側付近までの幅を有しているので、この靴下１を装着すると、第５趾の付け根付近から外側踝部３ａ付近に至る足のフット部６外側全体を外反させる方向の力を受けることになる。
【００２１】
また、上部テーピング低伸縮部８は、靴下１の甲側の外側低伸縮部７の第４趾の付け根と足首の間から略内側踝部３ｂ側に向かう方向に形成されている。すなわち、上部テーピング低伸縮部８は、爪先部５側の辺が少なくとも第４趾の付け根と足首の間から略内側踝部３ｂ側に向かう方向に形成されている。ここで、「内側踝部３ｂ側に向かう方向」は、内側踝部３ｂ側に向かう方向であれば、内側踝部３ｂに向かう方向から少し外れていてもよい。なお、以下の「略内側踝部３ｂ側に向かう方向」も同義として用いている。
【００２２】
上部テーピング低伸縮部８についても、上述した外側低伸縮部７と同様、タック編みを使用するとともに、伸縮性の高い素材として裏糸にＦＴＹを使用し、さらに、ゴム糸を編み込むことにより伸縮性を小さくしている。なお、上部テーピング低伸縮部８は、外側低伸縮部７と同等の伸縮性を有している。具体的には、上部テーピング低伸縮部８のタック編みについても、次の給糸により編み目を形成する時に同時に４つの編み目をくぐって編み糸を引き出して新しい編み目を作っている。そして、上部テーピング低伸縮部８により甲側の外側低伸縮部７の第４趾の第１趾側付近と足首の間から略内側踝部３ｂ方向に足のフット部６外側全体が引っ張られる。なお、本実施形態では、上部テーピング低伸縮部８をタック編みで編成するとともに、ＦＴＹ、ゴム糸を編み込むことにより伸縮性を小さくしたが、これに限らず、ＦＴＹ、ゴム糸を編み込まなくてもよい。
【００２３】
このように、外側低伸縮部７により第５趾の付け根付近から外側踝部３ａ付近に至る足のフット部６外側全体を外反させる方向に力を働かした状態で、上部テーピング低伸縮部８により足のフット部６外側全体が略内側踝部３ｂ方向に引っ張られることになる。
【００２４】
以上説明した通り、足のフット部６外側全体を外反させる方向の力が働いた状態で、その足のフット部６外側全体を略内側踝部３ｂ方向に引っ張られることにより、靴下１を装着して歩行する際には足底全体が地面に対し略平行になり、足の着地時において、足底の内外側を地面に略同時に着地させることができる。これにより、足の負担を十分軽減できるとともに、真っ直ぐな走行および効率の良い力の伝達ができ運動能力を向上させることができる。さらに、この効果は、１．０センチ刻みで靴下１を作成し、足のサイズとほぼ同様の靴下１を装着することにより、最高のパフォーマンスを発揮することができる。
【００２５】
また、下部テーピング低伸縮部９は、靴下１の足裏側の外側低伸縮部７の第５趾の付け根と踵部３の間の踵部３側付近から略内側踝部３ｂ側に向かう方向に形成されている。すなわち、下部テーピング低伸縮部９は、爪先部５側の辺が少なくとも第５趾の付け根と足首の間の踵部３側付近から略内側踝部３ｂ側に向かう方向に形成されている。
【００２６】
下部テーピング低伸縮部９についても、上述した上部テーピング低伸縮部８と同様、タック編みを使用するとともに、伸縮性の高い素材として裏糸にＦＴＹを使用し、さらに、ゴム糸を編み込むことにより伸縮性を小さくしている。ここで、下部テーピング低伸縮部９は、上部テーピング低伸縮部８と同等の伸縮性を有している。具体的には、下部テーピング低伸縮部９のタック編みについても、次の給糸により編み目を形成する時に同時に４つの編み目をくぐって編み糸を引き出して新しい編み目を作っている。なお、本実施形態では、下部テーピング低伸縮部９をタック編みで編成するとともに、ＦＴＹ、ゴム糸を編み込むことにより伸縮性を小さくしたが、これに限らず、ＦＴＹ、ゴム糸を編み込まなくてもよい。
【００２７】
下部テーピング低伸縮部９の延長方向に下部テーピング低伸縮延長部１１が形成されている。下部テーピング低伸縮延長部１１についても、下部テーピング低伸縮部９と同様、タック編みを使用するとともに、伸縮性の高い素材として裏糸にＦＴＹを使用し、さらに、ゴム糸を編み込むことにより伸縮性を小さくしている。ここで、下部テーピング低伸縮延長部１１は、下部テーピング低伸縮部９より少し伸縮性を大きくしている。具体的には、下部テーピング低伸縮延長部１１のタック編みについては、次の給糸により編み目を形成する時に同時に３つの編み目をくぐって編み糸を引き出して新しい編み目を作っている。なお、本実施形態では、下部テーピング低伸縮延長部１１をタック編みで編成するとともに、ＦＴＹ、ゴム糸を編み込むことにより伸縮性を小さくしたが、これに限らず、ＦＴＹ、ゴム糸を編み込まなくてもよい。
【００２８】
このように、下部テーピング低伸縮部９が足裏側の外側低伸縮部７の第５趾の付け根と踵部３の間の踵部３側付近から略内側踝部３ｂ側に向かう方向に形成されているので、上部テーピング低伸縮部８と相俟って、その足のフット部６外側全体を略内側踝部３ｂ方向に強く引っ張ることができる。これにより、この靴下１を装着して歩行する際には足底全体が地面に対し安定して略平行になり、足の着地時において、足底の内外側を地面に略同時により安定して着地させることができる。
【００２９】
また、靴下１の足首上部の円周方向に足首上部低伸縮部１０が形成されている。この足首上部低伸縮部１０は、足首上部の円周方向に形成されていればよく、必ずしも足首の全周に形成されていなくてもよい。足首上部低伸縮部１０についても、上述した上部テーピング低伸縮部８と同様、タック編みを使用するとともに、伸縮性の高い素材として裏糸にＦＴＹを使用し、さらに、ゴム糸を編み込むことにより伸縮性を小さくしている。ここで、足首上部低伸縮部１０の外側の伸縮性は、足首上部低伸縮部１０の内側の伸縮性より小さくしている。具体的には、足首上部低伸縮部１０の外側のタック編みについては、次の給糸により編み目を形成する時に同時に４つの編み目をくぐって編み糸を引き出して新しい編み目を作る編み方で、足首上部低伸縮部１０の内側のタック編みについては、次の給糸により編み目を形成する時に同時に３つの編み目をくぐって編み糸を引き出して新しい編み目を作る編み方にしている。なお、足首上部低伸縮部１０のすべてのタック編みを、次の給糸により編み目を形成する時に同時に４つの編み目をくぐって編み糸を引き出して新しい編み目を作る編み方にしてもよい。また、本実施形態では、足首上部低伸縮部１０をタック編みで編成するとともに、ＦＴＹ、ゴム糸を編み込むことにより伸縮性を小さくしたが、これに限らず、ＦＴＹ、ゴム糸を編み込まなくてもよい。このように、足首上部低伸縮部１０の外側の伸縮性を足首上部低伸縮部１０の内側の伸縮性より小さくすることにより、靴下１の形状をより略くの字形状にすることができる。
【００３０】
足首上部低伸縮部１０の足首の周方向の一部に他の部分より伸縮性が大きい足首上部低伸縮延長部１２が編成されている。なお、本実施形態では、足首上部低伸縮部１０と外側低伸縮部７とを連通させて形成したが、これに限らず、足首上部低伸縮部１０と外側低伸縮部７を分離させ連通させなくてもよい。足首上部低伸縮延長部１２についても、足首上部低伸縮部１０と同様、タック編みを使用するとともに、伸縮性の高い素材として裏糸にＦＴＹを使用し、さらに、ゴム糸を編み込むことにより伸縮性を小さくしている。ここで、足首上部低伸縮延長部１２は、足首上部低伸縮部１０より少し伸縮性を大きくしている。具体的には、足首上部低伸縮延長部１２のタック編みについては、次の給糸により編み目を形成する時に同時に２つの編み目をくぐって編み糸を引き出して新しい編み目を作っている。なお、本実施形態では、足首上部低伸縮延長部１２をタック編みで編成するとともに、ＦＴＹ、ゴム糸を編み込むことにより伸縮性を小さくしたが、これに限らず、ＦＴＹ、ゴム糸を編み込まなくてもよい。
【００３１】
このように、足首上部低伸縮部１０が足首上部の円周方向に渡って形成されているので、足首の位置でしっかり固定することができ、靴下１がずれることを抑制することができる。これにより、靴下１を装着した状態で足底全体が地面に対し略平行にするという効果を安定して得ることができる。また、周方向の一部を足首上部低伸縮部１０の他の部分より伸縮性が大きい足首上部低伸縮延長部１２が形成されているので、足首上部が周方向に広がり易くなり、靴下１の着脱を容易にすることができるとともに、着用時の圧迫感を回避でき血行が悪くなることも防止できる。
【００３２】
以上説明したように、本実施形態における靴下１を用いることにより、足のフット部６外側全体に外反させる方向の力を働かせた状態で、その足のフット部６外側全体を略内側踝部３ｂ方向に引っ張られることにより、この靴下１を装着して歩行する際には足底全体が地面に対し略平行になり、足の着地時において、足底の内外側を地面に略同時に着地させることができる。これにより、足の負担を十分軽減できるとともに、真っ直ぐな走行および効率の良い力の伝達ができ運動能力を向上させることができる。
【００３３】
以上の開示した実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００３４】
１    靴下
２    履き口部
３    踝部
３ａ  外側踝部
３ｂ  内側踝部
４    ボディ部
５    爪先部
６    フット部
７    外側低伸縮部
８    上部テーピング低伸縮部
９    下部テーピング低伸縮部
１０  足首上部低伸縮部
１１  下部テーピング低伸縮延長部
１２  足首上部伸縮延長部
【要約】
【課題】  従来の靴下では、足全体を十分外反方向へ回転させることができなかったので、足の負担を十分軽減させることができず、運動能力も十分向上させることができなかった。
【解決手段】  本発明の靴下１は、第５趾の付け根付近から外側面を介し外側踝部３ａ付近まで伸びる長さで、甲側の第４趾の第１趾側付近から足底側の第５趾の第１趾側付近に至る幅を有する外側低伸縮部７と、甲側の外側低伸縮部７の第４趾の第１趾側付近と足首の間から略内側踝部３ｂ側に向かう方向に形成されている上部テーピング低伸縮部８と、足首上部の円周方向に形成されている足首上部低伸縮部１０が設けられているので、足の負担を十分軽減できるとともに、運動能力を向上させる。
【選択図】  図１【図１】
0005961913.tif 000002
【図２】
0005961913.tif 000003
【図３】
0005961913.tif 000004
【図４】
0005961913.tif 000005